(57)【特許請求の範囲】
【請求項１】
画像データを基に印刷した印刷物に記載されたリンク先に関する情報を表示する情報表示システムであって、
画像を形成して印刷する印刷装置と、
前記印刷装置と通信可能であって、情報を表示する表示端末とを含み、
前記印刷装置は、
取得した画像データを基に画像を形成して印刷する印刷部と、
前記印刷部により印刷を行った前記画像データを前記表示端末に送信するよう制御する画像データ送信制御部とを備え、
前記表示端末は、
前記画像データ送信制御部により送信された前記画像データを受信する受信部と、
前記受信部により受信された前記画像データを記憶する記憶部と、
前記情報を表示する表示部と、
前記表示部を介して前記ユーザーが前記印刷部により印刷された印刷物を視認しているか否かを判断する視認判断部と、
前記視認判断部により前記ユーザーが前記印刷物を視認していると判断されれば、前記記憶部に記憶され、前記印刷物に対応する前記画像データを抽出する画像データ抽出部と、
前記表示部を介して前記ユーザーによって視認されている前記印刷物のページ中に、前記印刷物のリンク先の情報の表記があるか否かを判断するリンク有無判断部と、
前記リンク有無判断部により、前記リンク先の情報の表記があると判断されれば、前記画像データ抽出部により抽出された前記画像データに基づいて、前記リンク先に関する情報を取得するリンク先情報取得部と、
前記リンク先情報取得部により取得された前記リンク先に関する情報を、前記ユーザーに視認できるように、前記表示部に表示するよう制御する表示制御部とを備える、情報表示システム。
【請求項２】
前記表示制御部は、前記リンク先情報取得部により取得された前記リンク先のページ番号に関する情報を表示するよう制御する、請求項１に記載の情報表示システム。
【請求項３】
前記表示制御部は、前記リンク先のページ番号に関する情報を、前記リンク先の表記の近傍に表示するよう制御する、請求項２に記載の情報表示システム。
【請求項４】
前記表示制御部は、前記リンク先のページ番号に関する情報を、前記ユーザーによって視認されている現在のページ番号と、前記リンク先のページ番号との位置関係を視覚的に表した図形によって表示するよう制御する、請求項２または３に記載の情報表示システム。
【請求項５】
前記表示制御部は、前記リンク先のページ番号に関する情報を、現在のページをブックの見開いた状態とし、前記リンク先のあるページを栞で表した図形によって表示するよう制御する、請求項２〜４のいずれか１項に記載の情報表示システム。
【請求項６】
前記表示制御部は、前記リンク先情報取得部によって取得されたリンク先の画像データを前記ユーザーに視認可能に表示するよう制御する、請求項１〜５のいずれか１項に記載の情報表示システム。
【請求項７】
前記表示制御部は、前記リンク先情報取得部によって取得された前記リンク先の画像の外形形状の図形を、前記リンク先の画像に対応した位置に前記印刷物を可読させるよう表示するよう制御する、請求項１〜６のいずれか１項に記載の情報表示システム。
【請求項８】
前記表示制御部は、前記リンク先の画像のあるページと現在のページ番号との差に応じて、前記外形形状の図形の濃淡度合いを変化させて表示するよう制御する、請求項７に記載の情報表示システム。
【請求項９】
前記表示端末は、前記ユーザーの頭部に装着されるメガネ型ウェアラブル端末を含み、
前記表示部は、前記メガネ型ウェアラブル端末に含まれるレンズを含む、請求項１〜８のいずれか１項に記載の情報表示システム。
【請求項１０】
前記表示制御部による表示の制御を切り替え可能な切り替え部を備える、請求項１〜９のいずれか１項に記載の情報表示システム。
【発明の詳細な説明】
【技術分野】
【０００１】
この発明は、情報表示システムに関するものである。
【背景技術】
【０００２】
複合機に代表される印刷装置においては、印刷部に備えられる感光体に対して画像データを基に光を照射し、感光体上に静電潜像を形成する。その後、形成した静電潜像の上に帯電したトナーを供給して可視画像とした後、可視画像を用紙に転写する。そして、用紙上のトナーを印刷装置に備えられる定着装置によって用紙に定着させる。その後、トナーが定着された用紙を印刷物として装置外に排出する。
【０００３】
印刷装置は、画像データについて、ネットワークを介して接続されたコンピューターから受信したり、画像読み取り部で読み取ったりして取得する。印刷物には、その内容に応じて、表や図が記載されており、さらには、「表１参照」といったように表や図のリンク先の情報が記載されていたりする。リンク先の表や図の情報を把握するためには、リンク先が同じページに記載されていない限り、リンク先のページに至るまで印刷物のページをめくって、リンク先の表や図を印刷物の中から見つけ出し、目で見て確認しなければならない。ここで、情報の表示に際し、インターネットにアクセスし、ウェブページを表示可能な装置に関する技術が、特開２０００−６６８６８号公報（特許文献１）に開示されている。
【０００４】
特許文献１に開示のコンピューターベースの装置は、ユーザー・コンピューター・システムに関連するディスプレイ画面上に表示するために広域ネットワーク・サーバーから受信した表示可能情報信号を自動的に適応させるためのコンピューターベースの装置である。コンピューターベースの装置は、ユーザー・コンピューター・システムからネットワーク・サーバーにユーザー要求信号を送信するための手段であって、ユーザー要求信号がユーザーのディスプレイ画面に関連する少なくとも一つのディスプレイ画面関連属性に関する情報とユーザーの要求に固有の情報とを含む送信手段と、ユーザーの要求に固有の情報に応答して表示可能情報信号を生成するための手段と、表示されたときにそれに関連する情報をユーザーのディスプレイ画面に適合させるために、少なくとも一つのディスプレイ画面関連属性に応答して表示可能情報信号を適応させる手段とを含むこととしている。
【先行技術文献】
【特許文献】
【０００５】
【特許文献１】特開２０００−６６８６８号公報
【発明の概要】
【発明が解決しようとする課題】
【０００６】
特許文献１に開示の技術は、コンピューターを用いてウェブサイトを閲覧する際に、コンピューターのディスプレイのサイズやウィンドウのサイズが許すのであれば、リンク先のテキストやピクチャーが表示されることとしている。
【０００７】
しかし、このような技術では、既に印刷された印刷物について、リンク先が記載されている場合に対応することはできない。すなわち、既に印刷された印刷物の閲覧時に、記載されたリンク先の情報を容易に把握することができれば、ユーザーにとって利便性のよいものとなる。
【０００８】
この発明の目的は、印刷物を閲覧する際のユーザーの利便性を向上することができる情報表示システムを提供することである。
【課題を解決するための手段】
【０００９】
この発明に係る情報表示システムは、画像データを基に印刷した印刷物に記載されたリンク先に関する情報を表示する。情報表示システムは、印刷装置と、表示端末とを含む。印刷装置は、画像を形成して印刷する。表示端末は、印刷装置と通信可能であって、情報を表示する。印刷装置は、印刷部と、画像データ送信制御部とを備える。印刷部は、取得した画像データを基に画像を形成して印刷する。画像データ送信制御部は、印刷部により印刷を行った画像データを表示端末に送信するよう制御する。表示端末は、受信部と、国分と、表示部と、視認判断部と、画像データ抽出部と、リンク有無判断部と、リンク先情報取得部と、表示制御部とを備える。受信部は、画像データ送信制御部により送信された画像データを受信する。記憶部は、受信部により受信された画像データを記憶する。表示部は、情報を表示する。視認判断部は、表示部を介してユーザーが印刷部により印刷された印刷物を視認しているか否かを判断する。画像データ抽出部は、視認判断部によりユーザーが印刷物を視認していると判断されれば、記憶部に記憶され、印刷物に対応する画像データを抽出する。リンク有無判断部は、表示部を介してユーザーによって視認されている印刷物のページ中に、印刷物のリンク先の情報の表記があるか否かを判断する。リンク先情報取得部は、リンク有無判断部により、リンク先の情報の表記があると判断されれば、画像データ抽出部により抽出された画像データに基づいて、リンク先に関する情報を取得する。表示制御部は、リンク先情報取得部により取得されたリンク先に関する情報を、ユーザーに視認できるように、表示部に表示するよう制御する。
【発明の効果】
【００１０】
このような情報表示システムによると、リンク先に関する情報を表示部への表示によって確認することができる。そうすると、わざわざリンク先に関する情報を、例えば、印刷物の中からページをめくって自らが探し出す必要はない。したがって、印刷物を閲覧する際のユーザーの利便性を向上させることができる。
【図面の簡単な説明】
【００１１】
【図１】この発明の一実施形態に情報表示システムの外観を示す概略図である。
【図２】図１に示す情報表示システムの構成を示すブロック図である。
【図３】ウェアラブル端末制御部の構成を示すブロック図である。
【図４】リンク先の情報を表記する印刷物を印刷する場合の処理の流れを示すフローチャートである。
【図５】印刷された印刷物の一部を示す図である。
【図６】リンク先に関する情報を表示する場合の処理の流れを示すフローチャートである。
【図７】リンク先に関する情報としてリンク先のページ番号が表示された場合のレンズによる視野画像の一例を示す図である。
【図８】表示制御部による表示形式を変更した場合のレンズによる視野画像の一例を示す図である。
【図９】表示制御部による表示形式をさらに変更した場合のレンズによる視野画像の一例を示す図である。
【図１０】リンク先の画像データを表示した場合のレンズによる視野画像の一例を示す図である。
【図１１】リンク先の画像データの外形形状を表示した場合のレンズによる視野画像の一例を示す図である。
【図１２】リンク先の画像が表記された視野画像の一例を示す図である。
【発明を実施するための形態】
【００１２】
以下、この発明の実施の形態を説明する。図１は、この発明の一実施形態に係る情報表示システム２４の外観を示す概略図である。図２は、図１に示す情報表示システム２４の構成を示すブロック図である。図１においては、情報表示システム２４を一点鎖線で示している。
【００１３】
図１および図２を参照して、情報表示システム２４は、画像データを基に印刷した印刷物４６に記載されたリンク先に関する情報を表示する。情報表示システム２４は、画像を形成して印刷する印刷装置１１と、表示端末としてのウェアラブル端末３１とを含む。なお、図１においては、情報表示システム２４に含まれる印刷装置１１へ画像データおよび印刷命令を送信するコンピューター２６も図示している。
【００１４】
ここでまず、印刷装置１１の構成について説明する。印刷装置１１は、画像処理に関し、コピー機能、プリンター機能、ファクシミリ機能等、複数の機能を有する。印刷装置１１は、印刷装置制御部１２と、操作部１３と、画像読み取り部１４と、用紙に画像を形成して印刷する印刷部１５と、給紙カセット１６と、ハードディスク１７と、ネットワーク２３と接続するための印刷装置ネットワークインターフェース部１８と、受信部としての印刷装置通信部１９とを備える。
【００１５】
印刷装置制御部１２は、印刷装置１１全体の制御を行う。操作部１３は、印刷装置１１側から発信する情報やユーザーの入力内容を表示する表示画面２１を含む。表示画面２１は、タッチパネル型式であり、印刷装置１１の情報を表示すると共に、入力のインターフェースとなる。操作部１３は、印刷部数や階調等の画像形成の条件や電源のオンまたはオフをユーザーに入力させる。画像読み取り部１４は、セット位置にセットされた原稿を読み取り位置に搬送する原稿搬送装置としてのＡＤＦ（Ａｕｔｏ  Ｄｏｃｕｍｅｎｔ  Ｆｅｅｄｅｒ）２２を含む。画像読み取り部１４は、ＡＤＦ２２または不図示の載置台上にセットされた原稿の画像データを読み取る。給紙カセット１６は、複数設けられており、それぞれ複数枚の用紙をそれらの内部に収納可能である。印刷部１５は、画像読み取り部１４により読み取られた画像データやネットワーク２３を介して送信された画像データを基に、給紙カセット１６から搬送されてきた用紙に画像を形成して印刷する。ハードディスク１７は、送信された画像データや入力された画像形成条件等の格納を行う。印刷装置通信部１９は、外部装置、具体的には、例えば、ウェアラブル端末３１との接続を行うためのインターフェースである。
【００１６】
印刷装置１１は、画像読み取り部１４により読み取られた原稿の画像データを用いて印刷部１５において画像を形成して印刷することにより、複写機として作動する。また、印刷装置１１は、ネットワーク２３に接続されたコンピューター２６等から送信された画像データを用いて、印刷部１５において画像を形成して印刷することにより、プリンターとして作動する。
【００１７】
印刷装置制御部１２は、画像データ送信制御部２５を含む。画像データ送信制御部２５は、印刷部１５により印刷を行った画像データをウェアラブル端末３１に送信するよう制御する。画像データ送信制御部２５は、印刷を行った時に、ウェアラブル端末３１との接続を確立して画像データを送信するよう制御する。これについては、後に詳述する。
【００１８】
次に、ウェアラブル端末３１の構成について説明する。ウェアラブル端末３１は、印刷装置１１と通信可能である。通信方法としては、例えば、ワイファイ（Ｗｉ−ｆｉ）等が用いられる。ウェアラブル端末３１は、いわゆるメガネ型のウェアラブル端末３１である。ウェアラブル端末３１は、ユーザーの頭部に装着されてユーザーの視界の情報を取得する。
【００１９】
ウェアラブル端末３１は、ウェアラブル端末制御部３２と、ウェアラブル端末記憶部３３と、情報を表示する表示部としてのレンズ３４と、ウェアラブル端末通信部３５と、画像データ取得部３６とを備える。ウェアラブル端末制御部３２は、ウェアラブル端末３１全体の制御を行う。記憶部としてのウェアラブル端末記憶部３３は、不揮発性半導体メモリ等から構成されており、画像データや種々のデータを記憶する。レンズ３４は透過性を有する。ウェアラブル端末３１を装着したユーザーは、レンズ３４越しに種々の物、例えば、印刷装置１１により印刷された印刷物を見て、閲覧することができる。また、レンズ３４は、後述する表示制御部４２により、情報として種々のデータをユーザーに視認可能に投影して表示することができる。受信部としてのウェアラブル端末通信部３５は、印刷装置１１から送信される画像データを受信する。画像データ取得部３６は、ユーザーの視界の情報のうち、印刷物の画像を画像データとして取得する。具体的には、画像データ取得部３６は、ウェアラブル端末３１に備えられたレンズ３４越しにユーザーによって見られた景色の情報を、設けられた撮像カメラ（図示せず）等を利用して撮像し、画像データとして取得する。
【００２０】
次に、ウェアラブル端末制御部３２の構成について説明する。図３は、ウェアラブル端末制御部３２の構成を示すブロック図である。図３を参照して、ウェアラブル端末制御部３２は、視認判断部３７と、画像データ抽出部３８と、リンク有無判断部３９と、リンク先情報取得部４１と、表示制御部４２とを備える。視認判断部３７は、レンズ３４を介してユーザーが印刷部１５により印刷された印刷物を視認しているか否かを判断する。画像データ抽出部３８は、視認判断部３７によりユーザーが印刷物を視認していると判断されれば、ウェアラブル端末記憶部３３に記憶され、印刷物に対応する画像データを抽出する。リンク有無判断部３９は、レンズ３４を介してユーザーによって視認されている印刷物のページ中に、印刷物のリンク先の情報の表記があるか否かを判断する。リンク先情報取得部４１は、リンク有無判断部３９により、リンク先の情報の表記があると判断されれば、画像データ抽出部３８により抽出された画像データに基づいて、リンク先に関する情報を取得する。表示制御部４２は、リンク先情報取得部４１により取得されたリンク先に関する情報を、ユーザーに視認できるように、レンズ３４に表示するよう制御する。これらの構成については、後に詳述する。
【００２１】
次に、ネットワーク２３を介して印刷装置１１に接続可能なコンピューター２６の構成について説明する。コンピューター２６には、ディスプレイ２７と、キーボード２８と、マウス２９とが接続されている。ディスプレイ２７により、コンピューター２６からの情報やデータが表示される。また、キーボード２８およびマウス２９を用いて、ユーザーは、コンピューター２６へのデータの入力を行う。印刷装置１１を利用して印刷を要求するユーザーは、コンピューター２６に接続されたキーボード２８およびマウス２９を用い、ネットワーク２３を介して印刷を要求する画像データと共に印刷命令を印刷装置１１に対して送信する。印刷装置１１は、受信した印刷命令に従い、受信した画像データを基に画像を用紙に形成して印刷し、出力する。
【００２２】
次に、情報表示システム２４を用いて、印刷物に記載されたリンク先の情報を表示する場合の処理の流れについて説明する。まず、リンク先の情報を表記する印刷物を印刷する場合について説明する。
【００２３】
図４は、リンク先の情報を表記する印刷物を印刷する場合の処理の流れを示すフローチャートである。図４を参照して、ユーザーは、コンピューター２６を用いて、印刷装置１１に印刷要求を行う。すなわち、ネットワーク２３を介して印刷を要求する画像データと共に印刷命令を印刷装置１１に対して送信する。そうすると、印刷装置１１は、印刷要求を受け付ける（図４において、ステップＳ１１、以下、「ステップ」を省略する）。この場合、印刷装置ネットワークインターフェース部１８を介して、画像データを受信する。
【００２４】
その後、受信した画像データに基づいて、印刷部１５により画像を形成し、印刷する（Ｓ１２）。そして、印刷物を出力する（Ｓ１３）。また、この時に、すなわち、印刷を行った時に、印刷装置１１からウェアラブル端末３１に画像データを送信する（Ｓ１４）。具体的には、印刷装置通信部１９からウェアラブル端末通信部３５へ画像データを送信する。そうすると、ウェアラブル端末３１は、印刷装置１１から送信された画像データを受信する（Ｓ１５）。その後、ウェアラブル端末記憶部３３に受信された画像データが記憶される（Ｓ１６）。すなわち、印刷部１５により印刷を行った画像データが、ウェアラブル端末記憶部３３に記憶されることとなる。
【００２５】
図５は、印刷された印刷物４６の一部を示す図である。ここでいう一部とは、複数枚の印刷物４６の中の一枚の印刷物４６ということを意味する。図５を参照して、印刷物４６は、複数枚、すなわち、複数のページによって構成されている。この印刷物４６には、その中央の領域に横書きの複数の行から構成される文字の表記４７があり、ページの下側部分において、フッターとしてページ番号の表記４８がある。図５に示す印刷物４６は、２５ページに対応する印刷物４６である。また、このページには、文字の表記４７の中央部分において、「「表３−１」を参照。」との文字の表記４９がある。この表記４９は、この２５ページには記載がなく、他のページに記載のある表を示唆するリンク先の情報である。
【００２６】
次に、印刷物４６に記載されたリンク先に関する情報を表示する場合の処理の流れについて説明する。すなわち、上記した図４に示す処理の流れで印刷された印刷物４６に記載されたリンク先に関する情報を表示する場合の処理の流れである。
【００２７】
図６は、印刷物４６に記載されたリンク先に関する情報を表示する場合の処理の流れを示すフローチャートである。図６を参照して、まず、ユーザーは、印刷物４６の閲覧を開始する（Ｓ２１）。この場合、ユーザーは、ウェアラブル端末３１を頭部に装着して、レンズ３４越しに印刷物４６を閲覧する。
【００２８】
ここで、視認判断部３７は、レンズ３４を介してユーザーが印刷部１５により印刷された印刷物４６を視認しているか否かを判断する（Ｓ２２）。この場合、視認判断部３７は、画像データ取得部３６により取得された印刷物４６の画像データが、ウェアラブル端末記憶部３３に記憶されているか否かを判断する。この判断は、例えば、同じページ番号において同じ文字が記載されているか否かといった情報や、印刷物４６中に記載された文字列、表や図のレイアウトといった情報によって判断される。
【００２９】
視認判断部３７によりユーザーが印刷物４６を視認していると判断されれば（Ｓ２２において、ＹＥＳ）、画像データ抽出部３８は、ウェアラブル端末記憶部３３に記憶され、印刷物４６に対応する画像データを抽出する（Ｓ２３）。
【００３０】
その後、リンク有無判断部３９は、レンズ３４を介してユーザーによって視認されている印刷物４６のページ中に、印刷物４６のリンク先の情報の表記があるか否かを判断する（Ｓ２４）。この場合、具体的には、リンク有無判断部３９は、レンズ３４を介してユーザーに視認されている印刷物４６の中に、「参照」の文字やＵＲＬ等があるか否かに基づいて判断する。ここで、図５に示す印刷物４６においては、「表３−１を参照。」との文字の表記４９があるため、リンク先の情報の表記があると判断される（Ｓ２４において、ＹＥＳ）。
【００３１】
リンク有無判断部３９によりリンク先の情報の表記４９があると判断されると、リンク先情報取得部４１は、画像データ抽出部３８により抽出された画像データに基づいて、リンク先に関する情報を取得する（Ｓ２５）。ここで、リンク先に関する情報とは、例えば、リンク先のページ番号についての情報や、リンク先に示されている表や図に関するデータの情報である。
【００３２】
その後、表示制御部４２は、リンク先情報取得部４１により取得されたリンク先情報を、ユーザーに視認できるように、レンズ３４に表示するよう制御する（Ｓ２６）。この場合、ユーザーによる印刷物４６の視認を可能にした状態を維持して、リンク先に関する情報をレンズ３４に表示するよう制御する。
【００３３】
図７は、リンク先に関する情報としてリンク先のページ番号が表示された場合のレンズ３４による視野画像の一例を示す図である。図７を参照して、視野画像５１の範囲内には、表記４７、４８、４９のある印刷物４６がある。そして、リンク先を示す文字の表記４９の近傍、具体的には表記４９の上側領域には、リンク先情報としてのテキストボックス５２が表示されている。具体的には、この場合のリンク先情報としては、リンク先のページ番号である「４１ページ」の表示５３がなされている。この表示５３は、実際に印刷物４６に印刷されているものではなく、表示制御部４２によってレンズ３４に投影されているものである。すなわち、ウェアラブル端末３１を装着しているユーザーの視野画像５１において視覚的に認識できるものであり、他のユーザーが認識することはできないものである。もちろん、印刷物４６が汚染されることはない。
【００３４】
このような表示制御部４２による表示を行い、印刷物４６の閲覧が終了すれば、処理を終了する（Ｓ２７において、ＹＥＳ）。
【００３５】
このような情報表示システム２４によれば、リンク先に関する情報をレンズ３４への表示によって確認することができる。そうすると、わざわざリンク先に関する情報を、例えば、印刷物４６の中からページをめくって自らが探し出す必要はない。したがって、印刷物４６を閲覧する際のユーザーの利便性を向上させることができる。
【００３６】
また、この場合、表示制御部４２は、リンク先情報取得部４１により取得されたリンク先のページ番号に関する情報を表示するよう制御しているため、リンク先のページ番号の情報を容易に把握することができる。したがって、ページをスキップして、リンク先の位置を容易に探し当てることができる。
【００３７】
なお、この場合、リンク先情報を示すテキストボックス５２については、表記４９の下側領域に表示してもよいし、左側領域や右側領域に表示してもよい。
【００３８】
また、上記の実施の形態においては、表示制御部４２は、リンク先のページ番号に関する情報をリンク先の情報の表記４９の上側領域においてテキストボックス５２で表示するよう制御することとしたが、これに限らず、表示制御部４２は、リンク先のページ番号に関する情報を、ユーザーによって視認されている現在のページ番号とリンク先のページ番号との位置関係を視覚的に表した図形によって表示するよう制御することにしてもよい。
【００３９】
図８は、表示制御部４２による表示形式を変更した場合のレンズ３４による視野画像の一例を示す図である。図８を参照して、視野画像５６には、表記４７、４８、４９が印刷された印刷物４６の上側領域５７において、リンク先表示バー５８が表示されている。リンク先表示バー５８は、太い横棒の形状で構成されており、現在のページ番号とリンク先のページ番号とが、ドット５９ａ、５９ｂでそれぞれ表示されている。ドット５９ａについては、矢印で示された「現在のページ」との表示６０ａで「現在のページ」の位置を示している。ドット５９ｂについては、矢印で示された「リンク先のページ」との表示６０ｂで「リンク先のページ」の位置を示している。
【００４０】
こうすることにより、現在のページとリンク先のページとの位置関係を視覚的に容易に確認することができる。また、印刷物４６の文字の表記４７に重なってリンク先に関する情報が表示されないため、印刷物４６自体の視認性も良好にすることができる。
【００４１】
また、以下のように構成してもよい。すなわち、表示制御部４２は、リンク先のページ番号に関する情報を、現在のページをブックの見開いた状態とし、リンク先のあるページを栞で表した図形によって表示するよう制御するようにしてもよい。
【００４２】
図９は、この場合の表示制御部４２による表示形式をさらに変更した場合のレンズ３４による視野画像の一例を示す図である。図９を参照して、視野画像６１には、表記４７、４８、４９が印刷された印刷物４６の上側領域６２において、リンク先のページ番号の情報に関するブック図形６３が表示されている。ブック図形６３においては、見開いた状態で、現在のページが印刷物４６全体のどの辺りのページなのかを視覚的に表している。そして、太線で示す栞図形６４で、リンク先のページの位置を示している。このように構成することによっても、現在のページとリンク先のページとの位置関係を視覚的に確認することができる。また、この場合も、印刷物４６の文字の表記４７に重なってリンク先に関する情報が表示されないため、印刷物４６自体の視認性も良好にすることができる。
【００４３】
また、上記の実施の形態において、表示制御部４２は、リンク先情報取得部４１により取得されたリンク先のページ番号に関する情報を表示することとしたが、これに限らず、表示制御部４２は、リンク先情報取得部４１によって取得されたリンク先の画像データをそのままユーザーに視認可能に表示するよう制御してもよい。
【００４４】
図１０は、リンク先の画像データを表示した場合のレンズ３４による視野画像の一例を示す図である。図１０を参照して、視野画像６６には、表記４７、４８、４９が印刷された印刷物４６の右側領域６７において、リンク先の画像データ６８が表示されている。具体的には、画像データ６８としては、表のオブジェクト形式の画像データ６８であり、「表３−１  成績表」との表題と、縦のマスに国語、算数、理科、社会といった科目、横のマスにＡさん、Ｂさん、Ｃさんといった成績の対象者、そして、対応するマスに各科目の点数とが記載されたものである。この画像データ６８の表示については、表記４９の位置から矢印６９が延びるように表示されている。
【００４５】
このような構成によると、リンク先の画像を画像データ６８としてそのまま認識できるため、ページをめくらずに、リンク先の画像の情報をより詳細に把握することができる。また、この場合も、印刷物４６の文字の表記４７に重なってリンク先に関する情報が表示されないため、印刷物４６自体の視認性も良好にすることができる。
【００４６】
また、以下のように構成してもよい。すなわち、表示制御部４２は、リンク先情報取得部４１によって取得されたリンク先の画像の外形形状の図形を、リンク先の画像に対応した位置に印刷物４６を可読させるよう表示するよう制御してもよい。
【００４７】
図１１は、リンク先の画像データの外形形状を表示した場合のレンズ３４による視野画像の一例を示す図である。図１１を参照して、視野画像７１には、表記４７、４８、４９が印刷された印刷物４６のうち、リンク先の画像に対応した位置に、リンク先の画像の外形形状の図形７２が表示されている。この図形７２については、ハッチングで示し部分が透明性を有している。したがって、図形７２は、文字の表記４７を透過させることができ、文字の表記４７を視認できる状態である。このように構成することにより、リンク先の画像データの外形形状を把握することができる。そして、ページをめくっていって、リンク先の画像のあるページにたどり着けば、図１２に示すように、リンク先の画像７３がそのまま表れることになる。図１２は、リンク先の画像７３が表記された視野画像の一例を示す図である。
【００４８】
この場合、リンク先のページが現在のページよりも前にある場合と後ろにある場合とで、表示態様、例えば、図形７２を表示する色や濃度を変更することにしてもよい。こうすることにより、リンク先の画像のページと現在のページとの位置関係を明確に認識することができる。また、ページをめくっていって現在のページとリンク先の画像のあるページとが近づくにつれ、図形７２を表示する色の濃度を濃くすることにしてもよい。また、現在のページとリンク先の画像のあるページとが遠ざかっていくにつれ、図形７２を表示する色の濃度を薄くすることにしてもよい。こうすることにより、より視覚的に、現在のページとリンク先のページとの位置関係を把握することができる。
【００４９】
なお、上記の実施の形態においては、リンク先に関する情報として、リンク先のページ番号の情報やリンク先の画像データの情報としたが、これに限らず、他のリンク先に関する情報リンク、例えば、リンク先の情報として、リンク先が文献であった場合に、文献のフロントページの画像データや要約の画像データ、現在のページに対して何ページ前または何ページ後であるかといった情報であってもよい。
【００５０】
また、上記の実施の形態において、表示制御部４２による表示の制御を切り替え可能な切り替え部を備えるよう構成してもよい。こうすることにより、よりユーザーの要求する表示態様で、リンク先に関する情報を表示することができる。具体的には、例えば、リンク先に関する情報の表示態様を切り替える切り替えキーを、ウェアラブル端末３１のうちのレンズの側部に設け、この切り替えキーのスイッチを押下して上記した種々の表示態様の切り替えが可能な構成とする。
【００５１】
なお、上記の実施の形態においては、画像データ送信制御部２５は、印刷を行った時に画像データをウェアラブル端末３１に送信するよう制御することとしたが、これに限らず、ある所定のタイミングで、それまでに印刷を行った画像データをまとめてウェアラブル端末３１に送信するよう制御してもよい。
【００５２】
また、上記の実施の形態においては、コンピューター２６から送信された画像データを用いて、印刷物４６のリンク先に関する情報を表示することとしたが、これに限らず、原稿の画像を読み取ってコピーした印刷物を閲覧する場合にも適用される。すなわち、例えば、ＡＤＦ２２に原稿を載せて画像読み取り部１４によってスキャンし、この読み取った画像データをウェアラブル端末３１に送信する。そして、画像読み取り部によってスキャンされて印刷された印刷物４６の閲覧時にリンク先に関する情報を表示することにしてもよい。
【００５３】
なお、上記の実施の形態においては、表示端末として、ウェアラブル端末３１を用いることとしたが、これに限らず、例えば、タブレットＰＣや、表示部としてタッチパネルを有する携帯端末を用いることとしてもよいし、プロジェクターのような投影型の表示部を備える表示端末であってもよい。
【００５４】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００５５】
この発明に係る情報表示システムは、印刷物を閲覧する際のユーザーの利便性の向上が要求される場合に、特に有効に利用される。
【符号の説明】
【００５６】
１１  印刷装置、１２  印刷装置制御部、１３  操作部、１４  画像読み取り部、１５  印刷部、１６  給紙カセット、１７  ハードディスク、１８  印刷装置ネットワークインターフェース部、１９  印刷装置通信部、２１  表示画面、２２  ＡＤＦ、２３  ネットワーク、２４  情報表示システム、２５  画像データ送信制御部、２６  コンピューター、２７  ディスプレイ、２８  キーボード、２９  マウス、３１  ウェアラブル端末、３２  ウェアラブル端末制御部、３３  ウェアラブル端末記憶部、３４  レンズ、３５  ウェアラブル端末通信部、３６  画像データ取得部、３７  視認判断部、３８  画像データ抽出部、３９  リンク有無判断部、４１  リンク先情報取得部、４２  表示制御部、４６  印刷物、４７，４８，４９  表記、５１，５６，６１，６６，７１  視野画像、５２  テキストボックス、５３，６０ａ，６０ｂ  表示、５７，６２  上側領域、５８  リンク先表示バー、５９ａ，５９ｂ  ドット、６３  ブック図形、６４  栞図形、６７  右側領域、６８  画像データ、６９  矢印、７２  図形、７３  画像。
【図１】
0006465070.tif 000002
【図２】
0006465070.tif 000003
【図３】
0006465070.tif 000004
【図４】
0006465070.tif 000005
【図５】
0006465070.tif 000006
【図６】
0006465070.tif 000007
【図７】
0006465070.tif 000008
【図８】
0006465070.tif 000009
【図９】
0006465070.tif 000010
【図１０】
0006465070.tif 000011
【図１１】
0006465070.tif 000012
【図１２】
0006465070.tif 000013